(57)【要約】    【課題】  清掃用具、特に含油清掃用具が合成繊維を含む場合でも、再汚染がなく、優れた洗浄性が得られる洗浄方法を提供する。    【解決手段】  複数の洗浄工程を有する清掃用繊維製品の洗浄方法であって、非イオン界面活性剤と水溶性キレート剤と再汚染防止剤と水とを含有し、ｐH８〜１１である第１の洗浄媒体を、７０℃未満の温度で清掃用繊維製品と接触させて洗浄する第１の工程を有する、清掃用繊維製品の洗浄方法。【選択図】  なし【特許請求の範囲】
【請求項１】
複数の洗浄工程を有する清掃用繊維製品の洗浄方法であって、非イオン界面活性剤と水溶性キレート剤と再汚染防止剤と水とを含有し、ｐＨが８〜１１である第１の洗浄媒体を、７０℃未満の温度で清掃用繊維製品と接触させて洗浄する第１の工程を有する、清掃用繊維製品の洗浄方法。
【請求項２】
第１の洗浄媒体中の、アルカリ金属の珪酸塩、アルカリ土類金属の珪酸塩、アルカリ金属の水酸化物及びアルカリ土類金属の水酸化物から選ばれる化合物の総量が１００ｐｐｍ（重量比）以下である請求項１記載の洗浄方法。
【請求項３】
非イオン界面活性剤が、下記一般式（Ｉ）で表される非イオン界面活性剤である請求項１又は２記載の洗浄方法。
Ｒ1-Ｏ-(ＥＯ)p-(ＰＯ)q-(ＥＯ)r-Ｈ            （Ｉ）
〔式中、Ｒ1は平均炭素数８〜１８のアルキル基又はアルケニル基又はアルコキシ基を示し、ＥＯはオキシエチレン基、ＰＯはオキシプロピレン基を示す。ｐ、ｑ、ｒは、それぞれ平均付加モル数であり、ｐ≧０、ｑ＝０〜４．５、ｒ≧０である。ただし、ｐ、ｑ、ｒが同時に０になることはない。〕
【請求項４】
水溶性キレート剤が、ニトリロトリ酢酸、エチレンジアミンテトラ酢酸、ホスホン酸、トリポリリン酸及びこれらの塩から選ばれる化合物である請求項１〜３の何れか1項記載の洗浄方法。
【請求項５】
前記清掃用繊維製品が、合成繊維を含む請求項１〜４の何れか１項記載の洗浄方法。
【発明の詳細な説明】
【技術分野】
【０００１】
本発明は、繊維製品の洗浄方法に関し、特にダストコントロールの分野で用いられる繊維製品、例えば、店舗、オフィス、ホテル等の玄関マットやフロアマット、あるいはフロアクリーニング用モップ等の清掃用繊維製品の洗浄方法に関する。
【背景技術】
【０００２】
油、泥、ほこり等の微細な粒子汚れを捕捉、保持して生活環境を向上させるダストコントロールの分野では、ダストを捕捉、保持するための油剤が含浸されたモップ、クロス、マット等の繊維を含む含油清掃用具が使用されるが、ダストがさほど多くない場合には、含油しない清掃用具も使用される。具体的には、店舗、オフィス、ホテル等で用いられる玄関マットやフロアーマット、フロアークリーニング用のモップ等が挙げられる。
【０００３】
これら含油清掃用具は、通常、使用-洗浄-油剤加工（再生処理）という一連の工程を経て、繰り返し使用される。このような繰り返し使用は、現在世界的に問題となっている環境汚染や資源浪費等を防止するという観点から非常に重要である。
【０００４】
このような清掃用具においては、泥等の汚れが大量に共存し、また、マットやモップの大部分のものには、汚れを吸着させるため流動パラフィンが主成分の油剤等が塗布されているため、汚れ負荷量が非常に大きい。これら清掃用具の洗浄には、多量のアルカリ、界面活性剤及びキレート剤が用いられており、更に再汚染防止剤の併用もなされている。特に、天然繊維と合成繊維が混在している繊維製品については、繊維種で洗浄挙動、再汚染の度合いが異なるため、剤だけでなく洗浄条件についても重要となっている。
【０００５】
特許文献１には、ポリエステル繊維製品やポリエステル／綿の複合繊維製品においてポリエステル樹脂および界面活性剤を含有することを特徴とする洗濯用洗剤とポリエステル樹脂を洗液に添加する洗濯方法が開示されている。また、マットやモップ等の清掃用具の洗浄技術に関して、特許文献２には、特定の非イオン性高分子化合物と少量の非イオン界面活性剤とを含有する水性乳化液体からなる洗浄性能強化剤組成物が開示されている。
【特許文献１】特開平１０−２１２４９６
【特許文献２】特開２００２−１６７５９６
【発明の開示】
【発明が解決しようとする課題】
【０００６】
しかしながら、前記文献記載の手段では、清掃用具が合成繊維を含む場合、汚れの負荷の特に大きい最初の洗浄工程（予洗、第一洗浄工程等と称されることもある）において、繊維に泥等の粒子汚れ成分が繊維に再付着（再汚染）し、ひき続き洗浄工程を行っても十分に除去できなくなることがある。
【０００７】
本発明の課題は、清掃用具、特に含油清掃用具が合成繊維を含む場合でも、再汚染がなく、優れた洗浄性が得られる洗浄方法を得ることである。
【課題を解決するための手段】
【０００８】
本発明は、複数の洗浄工程を有する清掃用繊維製品の洗浄方法であって、非イオン界面活性剤と水溶性キレート剤と再汚染防止剤と水とを含有し、ｐＨが８〜１１である第１の洗浄媒体〔以下、第１の洗浄媒体という〕を、７０℃未満の温度で清掃用繊維製品と接触させて洗浄する第１の工程〔以下、第１の洗浄工程という〕を有する、清掃用繊維製品の洗浄方法に関する。
【発明の効果】
【０００９】
本発明によれば、ダストコントロールの分野で用いられる繊維製品、例えば、店舗、オフィス、ホテル等の玄関マットやフロアマット、あるいはフロアクリーニング用モップ等の清掃用繊維製品、特に合成繊維を含む繊維製品を洗浄する際の再汚染が防止され、且つ優れた洗浄効果を示す清掃用繊維製品の洗浄方法が提供される。
【発明を実施するための最良の形態】
【００１０】
＜第１の洗浄媒体＞
本発明に用いられる第１の洗浄媒体は、非イオン界面活性剤、水溶性キレート剤、再汚染防止剤及び水を含有する。
【００１１】
非イオン界面活性剤としては、下記一般式（Ｉ）で表される非イオン界面活性剤が好ましい。
Ｒ1-Ｏ-(ＥＯ)p-(ＰＯ)q-(ＥＯ)r-Ｈ            （Ｉ）
〔式中、Ｒ1は平均炭素数８〜１８のアルキル基又はアルケニル基又はアルコキシ基を示し、ＥＯはオキシエチレン基、ＰＯはオキシプロピレン基を示す。ｐ、ｑ、ｒは、それぞれ平均付加モル数であり、ｐ≧０、ｑ＝０〜４．５、ｒ≧０である。ただし、ｐ、ｑ、ｒが同時に０になることはない。〕
【００１２】
一般式（Ｉ）中、Ｒ1は平均炭素数１０〜１４のアルキル基、アルコキシ基、更にアルキル基が好ましく、ｐは１〜１０、特に２〜８が好ましく、ｑは０．５〜４．５、更に１〜４．５、特に１〜２が好ましく、ｒは１〜１０、特に２〜８が好ましく、ｐ＋ｒは１〜３０、更に２〜２０、特に４〜１５が好ましい。一般式（Ｉ）の非イオン界面活性剤の具体例として、ポリオキシエチレン（６）ラウリルエーテル、ポリオキシエチレン（１２）ラウリルエーテル、ポリオキシエチレン（７）-ｓｅｃ-アルキル（炭素数１２〜１４）エーテル、ポリオキシエチレン（３）ポリオキシプロピレン（１．５）ポリオキシエチレン（３）ラウリルエーテル、ポリオキシエチレン（５）ポリオキシプロピレン（１．５）ポリオキシエチレン（５）ラウリルエーテル、ポリオキシエチレン（５）ポリオキシプロピレン（４．５）ポリオキシエチレン（５）ラウリルエーテル等が挙げられる。ここで、当該化合物に関し（  ）内はエチレンオキサイド又はプロピレンオキサイドの平均付加モル数である（以下同様）。非イオン界面活性剤は、二種以上を使用することもできる。
【００１３】
また、第１の洗浄媒体は、非イオン界面活性剤以外の界面活性剤、例えば陰イオン界面活性剤、陽イオン界面活性剤等を含有することもできる。しかしながら、本発明では、洗浄性の観点から、第１の洗浄媒体中の界面活性剤の総量中、非イオン界面活性剤の比率が７０〜１００重量％、更に８０〜１００重量％、特に９０〜１００重量％であることが好ましい。
【００１４】
また、第１の洗浄媒体に用いる水溶性キレート剤とは、水中の硬度成分を捕捉する作用を有し、水（２０℃）に対する溶解度が１ｇ／Ｌである化合物であり、ニトリロトリ酢酸、エチレンジアミンテトラ酢酸、ホスホン酸、トリポリリン酸及びこれらの塩から選ばれる化合物の１種以上が好ましい。特にトリポリリン酸ナトリウムが好ましい。
【００１５】
本発明の第１の洗浄媒体は、アルカリ金属の珪酸塩（例えば、珪酸ナトリウム等）、アルカリ土類金属の珪酸塩（例えば、珪酸カルシウム、珪酸マグネシウム等）、アルカリ金属の水酸化物（例えば、水酸化ナトリウム、水酸化カリウム等）及びアルカリ土類金属の水酸化物（例えば、水酸化カルシウム、水酸化マグネシウム等）から選ばれる化合物の総量が１００ｐｐｍ（重量比、以下同様）以下、５０ｐｐｍ以下、更に１０ｐｐｍ以下、更に５ｐｐｍ以下、更に１ｐｐｍ以下、特に０ｐｐｍ（含有しない）であることが好ましい。
【００１６】
第１の洗浄媒体に用いる再汚染防止剤としては、アルキレンテレフタレート及び／またはアルキレンイソフタレート単位とポリオキシアルキレン単位とを含む非イオン性高分子化合物、中でもテレフタル酸エステルとエチレングリコールとの重合物を含有するものが望ましい。再汚染防止剤を用いることにより、特に合成繊維を含む清掃用繊維製品の洗浄において、再汚染が防止され、優れた洗浄効果を得ることができる。なお、再汚染防止剤とは、洗浄の際に繊維から離脱して洗浄液中に分散している汚れが繊維に再沈着するのを防止する機能を有するものをいう。再汚染防止剤として、商品を例示すれば、プチナース３０００〔北広ケミカル（株）〕等が挙げられる。
【００１７】
第１の洗浄媒体は、更に脂肪酸塩及びカルボン酸系ポリマー（再汚染防止剤以外のもの）から選ばれる１種以上を含有することもできる。
【００１８】
脂肪酸塩としては、炭素数８〜１８の脂肪酸のアルカリ金属塩が好ましく、具体的には、カプリル酸、ラウリン酸、ミリスチン酸、パルミチン酸、ステアリン酸、オレイン酸等のアルカリ金属塩、特にナトリウム塩、カリウム塩が好ましい。
【００１９】
また、カルボン酸系ポリマーとしては、アクリル酸、マレイン酸、α−ヒドロキシアクリル酸等の不飽和カルボン酸のホモポリマー、アクリル酸とマレイン酸のコポリマー等が挙げられる。特に、モノマーとしてアクリル酸、マレイン酸及びα-ヒドロキシアクリル酸を含むものが好ましい。カルボン酸系ポリマーは一部又は全部が塩となっていてもよい。また、カルボン酸系ポリマーの重量平均分子量は１０００〜１０００００、更に５０００〜８００００が好ましい。
【００２０】
第１の洗浄媒体は、上記成分以外に、（１）エタノール等のアルコール類及びエチレングリコール、プロピレングリコール等のグリコール類、（２）パラトルエンスルホン酸又はその塩、安息香酸又はその塩、尿素等の減粘剤や可溶化剤（防腐剤としての効果を持つものもある）、（３）相調整、洗浄力向上のためのポリオキシアルキレンベンジルエーテル、ポリオキシアルキレンフェニルエーテル、（４）ポリビニルピロリドン等の色移り防止剤、（５）蛍光染料、（６）柔軟性付与を目的としたシリコーン、（７）消泡剤としてのシリカ、シリコーン、（８）香料、抗菌防腐剤等を含有することができる。また、漂白剤、好ましくは酸素系漂白剤を含有することができる。
【００２１】
第１の洗浄媒体は、非イオン界面活性剤、水溶性キレート剤、再汚染防止剤その他の成分を含む洗浄剤組成物を希釈媒体（好ましくは水）で希釈して得ることができる。洗浄剤組成物は、水を含有していてもよい。
【００２２】
＜第１の洗浄工程＞
本発明の洗浄方法は、上記特定の第１の洗浄媒体を、清掃用繊維製品と接触させる第１の洗浄工程を有する。
【００２３】
第１の洗浄媒体は、非イオン界面活性剤を０．０１〜１重量％、更に０．０２〜０．２重量％含有することが好ましい。また、第１の洗浄媒体は、水溶性キレート剤を０．００１〜０．２重量％、更に０．００５〜０．１重量％含有することが好ましい。また、第１の洗浄媒体は、再汚染防止剤を０．００１〜０．５重量％、更に０．０１〜０．２重量％、更に０．０５〜０．１重量％含有することが好ましい。また、第１の洗浄媒体は、水を９０重量％以上、更に９５重量％以上、特に９９重量％以上含有することが好ましい。
【００２４】
また、脂肪酸塩を含有する場合は、第１の洗浄媒体中、０．００１〜０．１重量％、更に０．００２〜０．０２重量％が好ましい。また、カルボン酸系ポリマーを含有する場合は、第１の洗浄媒体中、０．００１〜０．０５重量％、更に０．００２〜０．０２重量％が好ましい。
【００２５】
なお、第１の洗浄媒体に配合される成分は、一括添加しても、別々に添加してもいずれでもよい。
【００２６】
本発明では、再汚染防止の点で、第１の洗浄媒体は、７０℃未満、洗浄性を維持しつつ、再汚染を防止する観点から、好ましくは４０℃以上７０℃未満、更に好ましくは５０〜６５℃で繊維製品と接触させる。アルカリ金属の珪酸塩、アルカリ土類金属の珪酸塩、アルカリ金属の水酸化物及びアルカリ土類金属の水酸化物から選ばれる化合物は、安価なアルカリ剤として本発明の対象とするモップ等の清掃用繊維製品の洗浄分野において汎用されているが、これら化合物を、１００ｐｐｍを超えて含む洗浄媒体は、温度上昇に伴い洗浄効果は向上する一方で、再汚染防止効果は大幅に低下することが見出された。特に、温度が７０℃を超える領域では、温度上昇に伴う再汚染の発生が、甚だしくなることが判明した。また７０℃未満第１の洗浄媒体に再汚染防止剤を添加することにより、再汚染防止効果はさらに向上した。本発明では、非イオン界面活性剤と水溶性キレート剤と再汚染防止剤と水とを含有する第１の洗浄媒体を７０℃未満、好ましくは４０℃以上７０℃未満、更に好ましくは５０〜６５℃の温度で用いることで、優れた洗浄性と共に優れた再汚染防止性も得られるが、このような知見は当業界において従来知られていない。
【００２７】
また、第１の洗浄媒体のｐＨは、洗浄温度において、８〜１１であり、再汚染の防止と洗浄性の観点から、８、５〜１１．８、特に９〜１０．８であることが好ましい。
【００２８】
本発明の洗浄方法の対象となる繊維製品は、ダストコントロールの分野で用いられる繊維製品、例えば、店舗、オフィス、ホテル等の玄関マットやフロアマット、あるいはフロアクリーニング用モップ等の清掃用繊維製品が挙げられ、更に清掃用含油繊維製品、清掃用含油マット、清掃用含油モップ等が挙げられる。これら繊維製品は、化学繊維（合成繊維）、天然繊維の何れを含むものであってもよく、本発明の洗浄方法は特に合成繊維を含むもの、特に合成繊維を含むモップに好適である。
【００２９】
本発明の洗浄方法は複数の洗浄工程を有するが、第１の洗浄工程は、最初の洗浄工程として行われることが好ましく、第１の洗浄工程の後に、更に、第２の洗浄媒体を、繊維製品と接触させる第２の洗浄工程を有することが好ましい。一般に、ダストコントロールの分野では、回収された繊維製品は、砂落とし、予備洗浄、本洗浄、染色、油含浸等の処理工程を経て再利用されるが、本発明の第１の洗浄工程は、予備洗浄として好適であり、本発明の第２の洗浄工程は本洗浄として好適である。
【００３０】
第２の洗浄工程で用いられる第２の洗浄媒体の調製に用いられる洗浄剤組成物は、通常、ダストコントロールの分野で用いられるものを使用でき、洗浄条件も通常のものが採用できる。第２の洗浄媒体は、第２の洗浄媒体の調製に用いられる洗浄剤組成物を希釈媒体（好ましくは水）で希釈して得ることができ、第１の洗浄媒体と同一でも異なっていてもよい。異なる場合は、第１の洗浄媒体に加えて、更に相当量のメタ珪酸ナトリウム等のアルカリ剤を含むことができる。
【実施例】
【００３１】
表１の組成を有する第１の洗浄媒体を用いて再汚染防止性と洗浄性を以下の方法で評価した。結果を表１に示す。
【００３２】
（１）再汚染防止性
木綿布を６ｃｍ×６ｃｍに裁断し、２５℃での粘度が１４０ｍＰａ・ｓの鉱物油に含浸させ、木綿調製布とした。また、ポリエステルジャージ布を６ｃｍ×６ｃｍに裁断し、２５℃での粘度が１４０ｍＰａ・ｓの鉱物油に含浸させ、ポリエステル調製布とした
【００３３】
６０℃、１Ｌの水道水に、表１の成分を表１の比率で投入し、第１の洗浄媒体とし、これにカーボンブラック０．２５ｇを入れてターゴトメータ（回転数８０ｒ／ｍｉｎ）にて５分間撹拌、分散させ汚染液を調製した。
【００３４】
この汚染液に、調製布を入れ、ターゴトメータ（回転数８０ｒ／ｍｉｎ）にて予備洗浄（第１の洗浄工程）を表１の温度、ｐＨで５分間行い、第１の洗浄液を除去した後、次いで、ランエースＰ-５１〔花王（株）製〕を２ｇ／Ｌの濃度で用いて本洗浄（第２の洗浄工程）を６０℃で５分間行い、すすぎ１分、脱水、プレス乾燥を行った。本洗浄後の試験布を目視観察し、以下の基準で評価した。
◎：汚れが付着していない。
○：汚れが少ししか付着していない。
△：汚れがある程度付着している。
×：汚れがはっきりと付着している。
【００３５】
（２）洗浄性
ＥＭＰＡ１０６を６ｃｍ×６ｃｍに裁断し、以下、上記再汚染防止性の評価と同様に、第１の洗浄媒体を調製し、予備洗浄（第１の洗浄媒体を用いる）、本洗浄〔ランエースＰ５１（花王株式会社）を２ｇ／Ｌの濃度で用いる〕、すすぎ、脱水、プレス乾燥を行った。洗浄後の汚染布を目視観察し、以下の基準で評価した。
◎：汚れ落ちがはっきりとわかる。
○：汚れ落ちがわかる。
×：汚れ落ちがわからない。
【００３６】
【表１】
2006297272.tif 000002
【００３７】
（注）表１中の成分は、以下の通りである。
・非イオン界面活性剤（１）：一般式（Ｉ）において、Ｒ1がラウリル基、ｐが３、ｑが１．５、ｒが３のもの
・非イオン界面活性剤（２）：一般式（Ｉ）において、Ｒ1がラウリル基、ｐが５、ｑが１．５、ｒが５のもの
・非イオン界面活性剤（３）：一般式（Ｉ）において、Ｒ1がｓｅｃ−アルキル基（炭素数１２〜１４）、ｐが７、ｑが０、ｒが０のもの
・ソーダ灰：０．１重量％水溶液のｐＨ（２０℃）が１０．９のもの
・ＥＤＴＡ−４Ｎａ：エチレンジアミンテトラ酢酸４ナトリウム塩
・ＮＴＡ−３Ｎａ：ニトリロトリ酢酸３ナトリウム塩
・石鹸：商品名月星クリーニング石鹸、花王（株）製
・再汚染防止剤：プチナース３０００、北広ケミカル（株）製